(57)【要約】【課題】ユーザが自身で刃部を交換することができる折り畳み式ナイフを提供する。【解決手段】刃部１０の基端部１３が枢軸部によって柄部２０に組み付けられており、軸心Ｐ周りの刃部の回動により刃部が柄部の内部に収容されるナイフ１の構成を、柄部がバネアーム２２０を備えるスリップジョイント式とし、枢軸部を着脱可能とすると共に、基端部の形状を、刃部が開姿勢と閉姿勢との間の中間姿勢を取る際に、バネアームから付勢力が作用することなく基端部に当接する形状とする。【選択図】図２
0003222232.tif 000002
【実用新案登録請求の範囲】
【請求項１】
刃部の基端部が枢軸部によって柄部に組み付けられており、前記枢軸部の軸心周りに前記刃部が一方向へ回動することにより前記刃部が前記柄部の内部に収容されている閉姿勢をとると共に、前記軸心周りの反対方向に前記刃部が回動することにより開姿勢をとる折り畳み式ナイフであって、
前記柄部は、一対の柄部半体と、一対の該柄部半体の間に挟み込まれているバネアームとを備え、
該バネアームは、前端側で前記基端部と当接し、後端側が前記柄部半体に固定されており、前記刃部の前記軸心周りの回動角度によって前記刃部を前記閉姿勢または前記開姿勢に付勢するものであり、
前記枢軸部が前記刃部及び前記柄部に対して着脱されると共に、
前記基端部は、
前記開姿勢において第一角部で前記バネアームと当接し、
前記閉姿勢において第四角部で前記バネアームと当接し、
前記開姿勢と前記閉姿勢との間の中間姿勢において、刃部を付勢していない姿勢にある前記バネアームと、前記第一角部より内側の第二角部及び前記第四角部より内側の前記第三角部で同時に当接し、
前記第一角部と前記第二角部との間に外方に膨出するように湾曲した輪郭を有していると共に、前記第一角部及び前記第二角部それぞれと前記軸心との間の距離は前記第一角部の方が大きく、
前記第三角部と前記第四角部との間に外方に膨出するように湾曲した輪郭を有していると共に、前記第三角部及び前記第四角部それぞれと前記軸心との間の距離は前記第四角部の方が大きい、ものである
ことを特徴とする折り畳み式ナイフ。
【請求項２】
前記基端部における前記第二角部と前記第三角部との間の側面部は、前記刃部を付勢していない姿勢にある前記バネアームと全体的に当接する
ことを特徴とする請求項１に記載の折り畳み式ナイフ。
【請求項３】
前記第一角部、前記第二角部、前記第三角部、及び前記第四角部は、丸みを帯びた角部である
ことを特徴とする請求項１または請求項２に記載の折り畳み式ナイフ。
【考案の詳細な説明】
【技術分野】
【０００１】
本考案は、折り畳み式ナイフに関するものである。
【背景技術】
【０００２】
折り畳み式ナイフは、柄部に対して刃部を回転させることにより、柄部の内部に刃部が収容されるナイフである。折り畳み式ナイフは、折り畳まれないナイフに比べて構造が複雑であることから、刃部を取り替えるための構造までは備えていないのが一般的である。
【０００３】
しかしながら、近年では、資源を有効に活用することを重要視する社会的な要請や、ナイフを製作する職人が減少している実情から、刃部のみをユーザ自身で交換して他の部分は長く継続して使用できる折り畳み式ナイフが求められている。
【０００４】
例えば、電工ナイフと称される電気工事で多用される折り畳み式ナイフは、太い電線や金属ワイヤを切断したり、刃部による切断力を補助するために切断する対象物に刃部を当てた状態で刃部をハンマーで叩いたりするため、刃こぼれが生じるなど刃部の損傷が激しい。一方、そのような力まかせの使用に耐えうるように、柄部など他の部分は機械的強度が高められた頑丈なつくりとなっている。そのため、刃部が損傷したときに柄部を含む全体を廃棄するのでは、資源の無駄が大きいという問題があった。
【考案の概要】
【考案が解決しようとする課題】
【０００５】
そこで、本考案は、上記の実情を鑑み、ユーザが自身で刃部を交換することができる折り畳み式ナイフの提供を、課題とする。
【課題を解決するための手段】
【０００６】
上記課題を解決するため、本考案にかかる折り畳み式ナイフは、
「刃部の基端部が枢軸部によって柄部に組み付けられており、前記枢軸部の軸心周りに前記刃部が一方向へ回動することにより前記刃部が前記柄部の内部に収容されている閉姿勢をとると共に、前記軸心周りの反対方向に前記刃部が回動することにより開姿勢をとる折り畳み式ナイフであって、
前記柄部は、一対の柄部半体と、一対の該柄部半体の間に挟み込まれているバネアームとを備え、
該バネアームは、前端側で前記基端部と当接し、後端側が前記柄部半体に固定されており、前記刃部の前記軸心周りの回動角度によって前記刃部を前記閉姿勢または前記開姿勢に付勢するものであり、
前記枢軸部が前記刃部及び前記柄部に対して着脱されると共に、
前記基端部は、
前記開姿勢において第一角部で前記バネアームと当接し、
前記閉姿勢において第四角部で前記バネアームと当接し、
前記開姿勢と前記閉姿勢との間の中間姿勢において、刃部を付勢していない姿勢にある前記バネアームと、前記第一角部より内側の第二角部及び前記第四角部より内側の前記第三角部で同時に当接し、
前記第一角部と前記第二角部との間に外方に膨出するように湾曲した輪郭を有していると共に、前記第一角部及び前記第二角部それぞれと前記軸心との間の距離は前記第一角部の方が大きく、
前記第三角部と前記第四角部との間に外方に膨出するように湾曲した輪郭を有していると共に、前記第三角部及び前記第四角部それぞれと前記軸心との間の距離は前記第四角部の方が大きい、ものである」ことを特徴とする。
【０００７】
従来の折り畳み式ナイフでは、刃部と柄部とを回動可能に組み付けている枢軸部は、かしめられている等により、刃部及び柄部から取り外せないものであった。これに対し、本構成では、枢軸部を刃部及び柄部に対して着脱可能なものとしている。また、本構成の折り畳み式ナイフは、刃部を閉姿勢または開姿勢に付勢するバネアームを有する、いわゆる“スリップジョイント式”である。スリップジョイント式の折り畳み式ナイフは、バックロック式やライナーロック式の折り畳み式ナイフとは異なり、複雑な機械的ロック機構を有していないため、枢軸部を着脱式とすることにより、刃部を柄部から取り外して別の刃部と交換することができるのではないかと、本考案者は想到した。しかしながら、スリップジョイント式の折り畳み式ナイフの場合、刃部を取り外すことに関して次のような問題がある。
【０００８】
すなわち、従来のスリップジョイント式の折り畳みナイフでは、開姿勢、閉姿勢、開姿勢と閉姿勢との間の姿勢の全てにおいて、バネアームから刃部に付勢力が作用している。そのため、いったん刃部を枢軸部から取り外してしまうと、バネアームの付勢に対して刃部からバネアームに作用していた抗力がなくなり、バネアームが枢軸部側に最大限移動してしまう。そのため、バネアームの付勢に抗して、元々刃部からの抗力を受けていたときの位置までバネアームを戻さないと（バネアームをたわませないと）、新たな刃部の基端部とバネアームとが干渉してしまい、新たな刃部に枢軸部を通すことができない。しかしながら、バネアームの付勢に抗してバネアームをたわませることは、一般のユーザにとっては困難となるおそれがある。特に、電工ナイフなどバネアームのバネ作用が大きなナイフの場合は、そのおそれが高い。
【０００９】
これに対し本構成では、詳細は後述するように、開姿勢、閉姿勢、開姿勢と中間姿勢との間、及び、閉姿勢と中間姿勢との間では、バネアームから刃部に付勢力が作用するが、中間姿勢ではバネアームから刃部に付勢力が作用しない。これにより、枢軸部を取り外すことによって刃部をナイフから取り外した後、新しい刃部を中間姿勢となる向きで柄部の内部の空間に挿入することにより、刃部における枢軸部の位置と柄部における枢軸部の位置とを容易に一致させることができ、新たな刃部と柄部とを枢軸部によって組み付けることができる。
【００１０】
そして、中間姿勢と開姿勢との間、及び、中間姿勢と閉姿勢との間では、基端部の輪郭はそれぞれ外方に膨出するように湾曲しているため、バネアームから基端部に作用する付勢力によって両者間に生じる抵抗により、刃部を枢軸部の軸心周りにゆっくりと回動させるという、従来のスリップジョイント式の折り畳み式ナイフと同様の作用を、発揮させることができる。
【００１１】
加えて、基端部は中間姿勢においてバネアームからの付勢力を受けないものではあっても、軸心から第一角部までの距離は軸心から第二角部までの距離より大きいと共に、軸心から第四角部までの距離は軸心から第三角部までの距離より大きい。そのため、刃部の開姿勢及び閉姿勢がバネアームの付勢によって安定的に保持されるという、従来のスリップジョイント式のナイフと同様の作用を、発揮させることができる。
【００１２】
ここで、従来のスリップジョイント式の折り畳み式ナイフでは、刃部を安全に折り畳む動作のためには、基端部の形状が連続した円弧状であることが必須であると考えられてきた。本考案は、このような当業者の常識に反してなされたものであり、開姿勢と閉姿勢との間にバネアームから刃部に付勢力が作用しない中間姿勢を設けることにより、開姿勢と閉姿勢との間の回動は不連続にはなるものの、安全な刃部の開閉には何ら問題のないことに、初めて本考案者が着眼したことにより実現されたものである。
【００１３】
本考案にかかる折り畳み式ナイフは、上記構成に加え、
「前記基端部における前記第二角部と前記第三角部との間の側面部は、前記刃部を付勢していない姿勢にある前記バネアームと全体的に当接する」ものとすることができる。
【００１４】
本構成では、中間姿勢において基端部とバネアームとが面的に当接するため、刃部の中間姿勢が安定したものとなる。
【００１５】
本考案にかかる折り畳み式ナイフは、上記構成に加え、
「前記第一角部、前記第二角部、前記第三角部、及び前記第四角部は、丸みを帯びた角部である」ものとすることができる。
【００１６】
第一角部、第二角部、第三角部、及び、第四角部は、何れも刃部が軸心周りに回動するのに伴って基端部がバネアームを外方に押圧する際、てこの「支点」のように作用する部分である。スリップジョイント式の折り畳み式ナイフでは、一般的にバネアームも基端部も金属製である。そのため、てこの支点のように作用する角部が尖っていると、バネアームがへこんだり傷付いたりするおそれがある。これに対し、本構成では何れの角部も丸みを帯びた角部に形成されているため、軸心周りの刃部の回動に伴い基端部がバネアームを押圧する際のバネアームの損傷が低減されている。
【考案の効果】
【００１７】
以上のように、本考案によれば、ユーザが自身で刃部を交換することができる折り畳み式ナイフを、提供することができる。
【図面の簡単な説明】
【００１８】
【図１】（ａ）本考案の一実施形態であるナイフの正面図、及び（ｂ）同一のナイフの底面図である。
【図２】（ａ）刃部が中間姿勢にあるナイフの正面図であり、（ｂ）刃部の要部拡大図である。
【図３】（ａ）中間姿勢と開姿勢との間における刃部の回動を説明する正面図であり、（ｂ）中間姿勢と閉姿勢との間における刃部の回動を説明する正面図である。
【図４】刃部が開姿勢にあるナイフの正面図である。
【図５】従来のナイフの回動を説明する正面図である。
【図６】（ａ），（ｂ）従来のナイフについて、取り外された刃部とバネアームとの干渉を説明する図である。
【考案を実施するための形態】
【００１９】
以下、本考案の具体的な実施形態である折り畳み式ナイフ１（以下「ナイフ１」と称する）について、図面を用いて説明する。なお、図２〜図６では、構成を明確に示すために、一対の柄部半体のうち一方を省略して図示している。
【００２０】
ナイフ１は、刃部１０の基端部１３が枢軸部３０によって柄部２０に組み付けられており、刃部１０が枢軸部３０の軸心周りに回動することにより、柄部２０の内部に刃部１０を収容できるナイフ１である。ここでは、刃部１０が柄部２０の内部に収容されている姿勢（刃部１０が折り畳まれている姿勢）を「閉姿勢」と称し、刃部１０が閉姿勢とは反対側に最大限回動した状態を「開姿勢」と称している。また、枢軸部３０の軸心を「軸心Ｐ」と称する。
【００２１】
まず、柄部２０について具体的に説明する。柄部２０は、一対の柄部半体２１０とバネアーム２２０とを有している。一対の柄部半体２１０のそれぞれは、平板状の柄部ベース２１１と、柄部ベース２１１とほぼ同一の外形の表面材２１２とからなり、表面材２１２は柄部ベース２１１を被覆している。柄部ベース２１１と表面材２１２それぞれの一端には、重ね合わせた状態で連通する位置に、枢軸部３０を挿通するための柄部ピボット孔２０ｐが貫設されている。ここで、柄部２０において柄部ピボット孔２０ｐが形成されている側の端部を「前端部」と称し、柄部２０において前端部とは反対側の端部を「後端部」と称している。
【００２２】
一対の柄部半体２１０は、それぞれの柄部ベース２１１を対面させて使用される。バネアーム２２０は金属製の細長いアームであり、一方の辺を柄部２０の側辺の一方に沿わせた状態で、一対の柄部半体２１０の間に配される。
【００２３】
バネアーム２２０は、複数の留めピンによって柄部半体２１０の後端側に留め付けられることによって、一対の柄部半体２１０の間に配置されている。本実施形態では、二つの留めピン（第一留めピン４１、第二留めピン４２）によって、バネアーム２２０が柄部半体２１０に留め付けられている。これにより、バネアーム２２０において、二つの留めピンのうち前端側にある第一留めピン４１より更に前端側の部分が、板バネとして作用する。また、バネアーム２２０は、一対の柄部半体２１０間に空間を形成する“スペーサ”を兼ねており、一対の柄部半体２１０及びバネアーム２２０で囲まれた内部空間Ｓ（図１（ｂ）参照）が、閉姿勢にある刃部１０を収容する空間である。
【００２４】
次に、刃部１０について具体的に説明する。刃部１０は切断刃１１が片側の辺のみに形成され、反対側の辺は切断刃がなく峰１２となっている片刃の刃体である。基端部１３は、刃部１０における刃元の部分であって切断刃がない部分である。基端部１３には、枢軸部３０を挿通するための刃部ピボット孔１０ｐが貫設されている。刃部ピボット孔１０ｐに枢軸部３０を挿通し刃部１０を開姿勢とすると、図１に示すように、峰１２の延長線に柄部２０の一方の側辺が沿っている状態となる。この側辺は、バネアーム２２０の一方の辺を沿わせている側辺である。
【００２５】
基端部１３は、バネアーム２２０と同じ厚さに形成されており、刃部ピボット孔１０ｐ及び一対の柄部ピボット孔２０ｐに枢軸部３０が挿通されて刃部１０と柄部２０とが組み付けられた状態で、バネアーム２２０と共に一対の柄部半体２１０の間に挟み込まれた状態となる。
【００２６】
基端部１３の形状は、刃部１０が開姿勢と閉姿勢との間の中間姿勢を取ったときに、刃部１０を付勢していない姿勢にあるバネアーム２２０に、輪郭の一部が当接する形状に形成される。バネアーム２２０の「刃部１０を付勢していない姿勢」とは、バネアーム２２０から基端部１３に何ら力が作用しない位置に、バネアーム２２０が位置している姿勢であり、刃部１０をナイフ１から取り外したときにバネアーム２２０が取る姿勢と等しい。本実施形態では、刃部１０の中間姿勢は、開姿勢にある刃部１０を軸心Ｐ回りに９０度回転させた姿勢である。
【００２７】
この中間姿勢では、図２（ａ）に示すように、刃部１０の基端部１３における二つの角部である第二角部Ｅ２と第三角部Ｅ３とが、同時にバネアーム２２０に当接している。本実施形態では、第二角部Ｅ２及び第三角部Ｅ３に加え、これら二つの角部の間の側面部１３ｆもバネアーム２２０と当接している。この状態では、刃部１０とバネアーム２２０とは単に当接しているだけであり、両者間に力は作用していない。第二角部Ｅ２及び第三角部Ｅ３のうち、峰１２に近い方の第二角部Ｅ２からは外方に向かって膨出した湾曲面１３ｅとなっており、第一角部Ｅ１を経て刃先方向に向かって側面部１３ｂが連設されている。側面部１３ｂは、側面部１３ｆとほぼ直角をなしている。側面部１３ｂからは、更に略直角をなす端面部１３ｃが連設されて、峰１２に至っている。一方、第三部Ｅ３からは外方に向かって膨出した湾曲面１３ｇとなっており、第四角部Ｅ４を経て刃先方向に向かうと共に、内方に向かって（枢軸部３０の方向に向かって）湾曲している側面部１３ｄが連設されて、切断刃１１に至っている。
【００２８】
基端部１３における四つの角部（第一角部Ｅ１、第二角部Ｅ２、第三角部Ｅ３、及び第四角部Ｅ４）は、何れも丸みを帯びた角部に形成されている。そして、軸心Ｐから第一角部Ｅ１までの距離Ｒ１は、軸心Ｐから第二角部Ｅ２までの距離Ｒ２より大きく設定されている。また、軸心Ｐから第四角部Ｅ４までの距離Ｒ４は、軸心Ｐから第三角部Ｅ３までの距離Ｒ３より大きく設定されている。
【００２９】
基端部１３がこのような形状をしていることにより、刃部１０を軸心Ｐ周りに回動させると次のように動作する。まず、中間姿勢にあり、枢軸部３０によって柄部２０と組み付けられている刃部１０を開姿勢に向かって回動させると（図３（ａ）における矢印Ｂ方向）、基端部１３とバネアーム２２０との接点が、第二角部Ｅ２から第一角部Ｅ１に向かって外方に膨出している湾曲面１３ｅに沿って移動する。これにより、軸心Ｐからバネアーム２２０と基端部１３との接点までの距離が増加するため、バネアーム２２０において第一留めピン４１より前端側の部分を、外側に押圧する力が基端部１３から作用する。バネアーム２２０の有する弾性により、この押圧力に抗する力が基端部１３に作用するため、湾曲面１３ｅに沿ってバネアーム２２０との接点が移動している間は、刃部１０の回動に大きな抵抗力が作用し、刃部１０はゆっくりと回動する。
【００３０】
基端部１３とバネアーム２２０との接点が第一角部Ｅ１に達し、同一方向への更なる刃部１０の回動によって接点が第一角部Ｅ１を越えると、その時点で基端部１３がバネアーム２２０を押圧する力がなくなり、バネアーム２２０の付勢によって刃部１０は一気に開姿勢をとる（図４参照）。
【００３１】
開姿勢では、刃部１０の基端部１３は、第一角部Ｅ１によってバネアーム２２０の前端部に当接している。上述したように、第二角部Ｅ２がバネアーム２２０と当接している状態ではバネアーム２２０は刃部１０を付勢していないが、軸心Ｐから第一角部Ｅ１までの距離Ｒ１は軸心Ｐから第二角部Ｅ２までの距離Ｒ２より大きい。そのため、第一角部Ｅ１がバネアーム２２０と当接している開姿勢では、バネアーム２２０を外側に押圧する力が基端部１３から作用しており、この力に抗して基端部１３を外側から抑え込むように付勢する力がバネアーム２２０から作用している。このようなバネアーム２２０の付勢によりナイフ１の開姿勢が安定的に保持される。
【００３２】
更に本実施形態では、開姿勢において、基端部１３の側面部１３ｂがバネアーム２２０の前端側の内側面２２０ｂにほぼ全体的に当接し、基端部１３の端面部１３ｃがバネアーム２２０の前端面２２０ｃにほぼ全体的に当接するように、基端部１３及びバネアーム２２０双方の形状が設定されているため、ナイフ１の開姿勢がより安定している。
【００３３】
開姿勢にある刃部１０を反対方向に回動させると（図３（ａ）における矢印Ａ方向）、基端部１３とバネアーム２２０との接点が、第一角部Ｅ１から第二角部Ｅ２に向かって湾曲面１３ｅに沿って移動する。これにより、上記と同様に、バネアーム２２０の前端側の部分を外側に押圧する力が基端部１３から作用するため、この押圧力に抗してバネアーム２２０から作用する大きな抵抗力を受けつつ、刃部１０はゆっくりと回動する。
【００３４】
基端部１３とバネアーム２２０との接点が第二角部Ｅ２に達すると、第三角部Ｅ３も同時にバネアーム２２０と当接し、刃部１０は中間姿勢を取る。この状態では、バネアーム２２０から刃部１０に付勢力は作用していないが、刃部１０は二箇所（第二角部Ｅ２及び第三角部Ｅ３）でバネアーム２２０と当接しているため、刃部が意図せず動くことはない。特に、本実施形態では、第二角部Ｅ２及び第三角部Ｅ３に加えて、その間の側面部１３ｆもバネアーム２２０と当接しているため、刃部１０の中間姿勢が安定している。
【００３５】
ユーザが意図して更に刃部１０を同方向（図示、矢印Ａ方向）に回動させると、図３（ｂ）に示すように、基端部１３とバネアーム２２０との接点が、第三角部Ｅ３から第四角部Ｅ４に向かって湾曲面１３ｇに沿って移動する。これにより、上記と同様に、バネアーム２２０の前端側の部分を外側に押圧する力が基端部１３から作用するため、この押圧力に抗してバネアーム２２０から作用する大きな抵抗力を受けつつ、刃部１０はゆっくりと回動する。
【００３６】
基端部１３とバネアーム２２０との接点が第四角部Ｅ４に達し、同一方向への更なる刃部１０の回動によって接点が第四角部Ｅ４を越えると、その時点で基端部１３がバネアーム２２０を押圧する力がなくなる。これにより、バネアーム２２０の付勢によって刃部１０は一気に閉姿勢をとり、基端部１３は第四角部Ｅ４によってバネアーム２２０と当接する。第三角部Ｅ３がバネアーム２２０と当接している状態ではバネアーム２２０は刃部１０を付勢していないが、軸心Ｐから第四角部Ｅ４までの距離Ｒ４は軸心Ｐから第三角部Ｅ３までの距離Ｒ３より大きいため、閉姿勢では基端部１３を外側から抑え込むように付勢する力がバネアーム２２０から作用し、ナイフ１の閉姿勢が安定的に保持される。
【００３７】
閉姿勢にある刃部１０に対して、ユーザが意図的に開姿勢に向かって回動させると（図示、矢印Ｂ方向）、上記と同様に、バネアーム２２０との間に働く抵抗力によって刃部１０はゆっくりと回動して、中間姿勢を取る。そして、更に意図的に開姿勢に向かって回動させることにより、上述したように中間姿勢から開姿勢に刃部１０が変位する。このようにして、刃部１０を軸心Ｐ周りに回動させ、ナイフ１の使用状態である開姿勢と、刃部１０が柄部２０の内部空間Ｓに収容された閉姿勢との間で、刃部１０を変位させることができる。
【００３８】
なお、刃部１０の刃先側において峰１２の近傍には、細い半月形の操作用窪み１７が凹設されている。ユーザは、この窪み１７に指先（爪）を引き掛けて、刃部１０を軸心Ｐ周りに回転させることができる。
【００３９】
従来の折り畳み式ナイフでは、柄部に対して刃部を回転させる枢軸部は、その両端を柄部の外表面側でかしめる等により、ナイフの製造後は取り外すことができないものであった。これに対し、本実施形態の枢軸部３０は、ユーザ自身が刃部１０をナイフ１から取り外すことができる構成となっている。具体的には、本実施形態の枢軸部３０は、頭部付きの雄ネジと、頭部付きの雌ネジスリーブとを螺合させることによって形成されている。雌ネジスリーブの外径は、刃部ピボット孔１０ｐ及び柄部ピボット孔２０ｐの径より小さく、雄ネジ及び雌ネジスリーブそれぞれの頭部は、柄部ピボット孔２０ｐの径より大きい。そして、雄ネジまたは雌ネジスリーブの頭部に、汎用の工具で回転させることができる工具係合部１０ｆが形成されている。ここで、汎用の工具としては、プラスドライバ、マイナスドライバ、六角レンチを例示することができる。
【００４０】
従来のスリップジョイント式折り畳み式ナイフは、仮に、枢軸部をナイフから取り外すことができるようにし、ユーザ自身が刃部をナイフから取り外すことができたとしても、新たな刃部をユーザ自身が取り付けることが困難な構成であった。このことを、図５及び図６を用いて説明する。従来のスリップジョイント式折り畳み式のナイフ１００の刃部１１０が、本実施形態のナイフ１の刃部１０と相違する点は、基端部１３０の輪郭形状である。その他、本実施形態のナイフ１と同様の構成については、同一の符号を付し、詳細な説明を省略する。
【００４１】
ナイフ１００の基端部１３０は、本実施形態の基端部１３における第一角部Ｅ１に相当する第一角部ｅ１から、基端部１３における第四角部Ｅ４に相当する第二角部ｅ２まで、連続した円弧状の輪郭を有している。これにより、開状態から閉状態まで刃部１１０が枢軸部３００の軸心ｐ周りに回動する際、及び、閉状態から開状態まで刃部１１０が軸心ｐ周りに回動する際、基端部１３０とバネアーム２２０との接点が円弧状の輪郭に沿って移動することにより、常にバネアーム２２０から基端部１３０を付勢する力が作用する。
【００４２】
従って、仮に、刃部１１０をナイフ１００から取り外すことにより、バネアーム２２０が刃部１１０を付勢していない姿勢を取ると、図６（ｂ）に示すように、開姿勢と閉姿勢の間の姿勢を取っている刃部１１０の基端部１３０は、バネアーム２２０と干渉してしまう。そのため、刃部ピボット孔と柄部ピボット孔を一致させて枢軸部３００を挿通するためには、バネアーム２２０の付勢力に抗してバネアーム２２０をたわませなければならず、ユーザが手作業で行うことは困難である。
【００４３】
また、従来のナイフ１００では、開姿勢及び閉姿勢の双方においても、バネアーム２２０から刃部１１０に付勢力が作用する状態となるように、バネアーム２２０の位置及び形状の設定がなされている。そのため、ナイフ１００から取り外した刃部１１０を、開姿勢を取る向きでナイフ１００に取り付けようとしても、図６（ａ）に示すように、基端部１３０がバネアーム２２０と干渉してしまう。つまり、従来のナイフ１００では、開姿勢、閉姿勢、開姿勢と閉姿勢との間の姿勢の全てにおいて、バネアーム２２０から刃部１１０に付勢力が作用しているため、刃部１１０を取り外して交換するためには、大きなバネ作用に抗してバネをたわませる必要があり、ユーザがこれを行うことは困難である。
【００４４】
これに対し、本実施形態のナイフ１では、開姿勢、閉姿勢、開姿勢と中間姿勢との間、及び、閉姿勢と中間姿勢との間では、バネアーム２２０から刃部１０に付勢力が作用するが、中間姿勢ではバネアーム２２０から刃部１０に付勢力が作用しない。これにより、枢軸部３０をナイフ１から取り外すことによって刃部１０をナイフ１から取り外した後、新しい刃部１０を中間姿勢となる向きで柄部２０の内部空間Ｓに挿入することにより、刃部ピボット孔１０ｐと柄部ピボット孔２０ｐとを容易に一致させることができ、新たな刃部１０と柄部２０とを枢軸部３０によって組み付けることができる。
【００４５】
このように、本実施形態のナイフ１によれば、ユーザ自身が刃部１０を取り外して、新しい刃部１０に交換することができる。これにより、刃部１０が損傷した場合など、同種の新しい刃部１０に交換することができる。また、形状の異なる刃部１０に交換することにより、刃部１０と柄部２０との組み合わせを異ならせることができる。例えば、同じ柄部２０に、電工ナイフ用の刃部１０を取り付けて使用したり、ブッシュクラフトナイフ用の刃部１０を取り付けて使用したりすることができる。また、形状の異なる刃部１０に限らず、材質の相違する刃部１０に取り換えて使用することもできる。材質の異なる刃部１０としては、ステンレス鋼、ダイス鋼など刃部本体の材質が相違する刃部１０、錆防止用のコーティング層の積層の有無が相違する刃部１０、意匠性を高めるための表面層の積層の有無が相違する刃部１０を、例示することができる。
【００４６】
そして、中間姿勢と開姿勢との間、及び、中間姿勢と閉姿勢との間では、基端部１３の輪郭はそれぞれ外方に膨出した湾曲面１３ｅ，１３ｇであるため、バネアーム２２０から基端部１３に作用する付勢力によって、刃部１０を軸心Ｐ周りにゆっくり回動させるという、従来のスリップジョイント式のナイフと同様の作用を発揮する。
【００４７】
加えて、基端部１３は中間姿勢においてバネアーム２２０からの付勢力を受けないものではあっても、軸心Ｐから第一角部Ｅ１までの距離Ｒ１は軸心Ｐから第二角部Ｅ２までの距離Ｒ１より大きいと共に、軸心Ｐから第四角部Ｅ４までの距離Ｒ４は軸心Ｐから第三角部Ｅ３までの距離Ｒ３より大きいため、刃部１０の開姿勢及び閉姿勢がバネアーム２２０の付勢によって安定的に保持されるという、従来のスリップジョイント式のナイフと同様の作用を発揮する。
【００４８】
また、第一角部Ｅ１、第二角部Ｅ２、第三角部Ｅ３、及び、第四角部Ｅ４は、何れも刃部１０が軸心Ｐ周りに回動するのに伴って基端部１３がバネアーム２２０を外方に押圧する際、てこの支点のように作用する部分であるが、丸みを帯びた角部に形成されている。これにより、軸心Ｐ周りの刃部１０の回動に伴い基端部１３がバネアーム２２０を押圧する際に、金属製のバネアーム２２０がへこんだり傷付いたりするおそれが低減されている。
【００４９】
以上、本考案について好適な実施形態を挙げて説明したが、本考案はこの実施形態に限定されるものではなく、以下に示すように、本考案の趣旨を逸脱しない範囲において、種々の改良及び設計の変更が可能である。
【００５０】
例えば、上記では、中間姿勢が、開姿勢にある刃部１０を軸心Ｐ周りに９０度回転させた姿勢である場合を例示したが、バネアームの形状に基端部の形状を対応させることにより、中間姿勢と開姿勢とを９０度以外の角度関係とすることができる。ただし、新しい刃部の付け替え作業は、一対の柄部に挟まれて視認しにくい内部空間Ｓで行うため、中間姿勢が開姿勢から９０度回転させた姿勢であれば、ユーザにとって新しい刃部を挿入すべき位置が分かり易く、作業を行い易い利点がある。
【００５１】
また、上記では、中間姿勢にある刃部１０において、第二角部Ｅ２と第三角部Ｅ３との間の側面部１３ｆもバネアーム２２０に当接する場合を例示したが、第二角部Ｅ２と第三角部Ｅ３との間が内方に湾曲した面となっていても、上記と同様の作用効果を得ることができる。
【００５２】
更に、上記では、バネアーム２２０の後端側を二つの留めピンで柄部２０に固定する場合を例示したが、留めピンの数は三以上であっても良い。細長いバネアームの形状及び厚さが同じであれば、柄部に固定されている部分が長くなるほど、たわみにくいバネとなる。
【符号の説明】
【００５３】
１  ナイフ（折り畳み式ナイフ）
１０  刃部
１３  基端部
１３ｆ  側面部（第二角部と第三角部との間の側面部）
２０  柄部
３０  枢軸部
２１０  柄部半体
２２０  バネアーム
Ｅ１  第一角部
Ｅ２  第二角部
Ｅ３  第三角部
Ｅ４  第四角部
Ｐ  軸心（枢軸部の軸心）
【図１】
0003222232.tif 000003
【図２】
0003222232.tif 000004
【図３】
0003222232.tif 000005
【図４】
0003222232.tif 000006
【図５】
0003222232.tif 000007
【図６】
0003222232.tif 000008